(57)【要約】【課題】端末を含む複数の装置を動作させるシステムにおいて、端末を他の装置と通信可能な状態にする作業を、容易に行えるようにする。【解決手段】タブレット端末２はタブレット端末３に制御情報を送信し、タブレット端末３は、タブレット端末２から制御情報を受信した場合にアプリケーションの実行を開始し、プロジェクター１００との通信を開始し、タブレット端末２が、タブレット端末３による情報の表示を指示する表示指示情報をプロジェクター１００に送信し、プロジェクター１００は、タブレット端末２から表示指示情報を受信して、プロジェクター１００に接続中のタブレット端末３に表示指示情報を送信し、タブレット端末３は、アプリケーションの実行中にプロジェクター１００から表示指示情報を受信した場合に、表示指示情報により指定される情報をタッチパネル３０１に表示する、表示システム１。【選択図】図１
2019040494.tif 000002
【特許請求の範囲】
【請求項１】
表示装置と、
画像を表示する表示部、及び、アプリケーションを実行する制御部を備え、前記表示装置を含む外部の装置と通信する第１端末と、
前記第１端末及び前記表示装置と通信する第２端末と、を有し、
前記第２端末は前記第１端末に制御情報を送信し、
前記第１端末は、前記第２端末から前記制御情報を受信した場合に、前記制御部により前記アプリケーションの実行を開始し、前記制御部が前記アプリケーションの機能により前記表示装置に接続し、前記表示装置との通信を開始し、
前記第２端末が、前記第１端末による情報の表示を指示する表示指示情報を前記表示装置に送信し、
前記表示装置は、前記第２端末から前記表示指示情報を受信して、前記表示装置に接続中の前記第１端末に前記表示指示情報を送信し、
前記第１端末は、前記アプリケーションの実行中に前記表示装置から前記表示指示情報を受信した場合に、前記表示指示情報により指定される情報を前記表示部に表示する、
通信システム。
【請求項２】
前記第１端末は、前記制御部により前記アプリケーションの実行が可能な通常動作状態と、前記アプリケーションの実行及び前記表示部による表示を停止する省電力状態とを実行可能であり、
前記省電力状態において前記制御情報を前記第２端末から受信した場合に、前記通常動作状態に移行して前記アプリケーションを実行する、
請求項１記載の通信システム。
【請求項３】
前記表示装置は、
前記第１端末が前記アプリケーションの機能により前記表示装置に接続した場合に、前記表示装置に接続中の前記第１端末を示す接続情報を生成し、
前記第２端末から前記表示指示情報を受信した場合に、前記接続情報に基づいて前記第１端末に前記表示指示情報を送信する、
請求項１または２記載の通信システム。
【請求項４】
前記第１端末は操作部を備え、
前記第１端末は、前記アプリケーションの実行を開始した後、前記アプリケーションの機能により、前記操作部による操作の受け付けを制限する操作制限モードに移行する、
請求項１から３のいずれか１項に記載の通信システム。
【請求項５】
前記第２端末は、前記第１端末により表示する情報と、前記表示指示情報とを前記表示装置に送信し、
前記第１端末は、前記表示装置から受信する前記表示指示情報に従って、前記情報に基づき前記表示部により表示を行う、
請求項１から４のいずれか１項に記載の通信システム。
【請求項６】
前記第２端末は、前記第１端末により表示する情報を指定する前記表示指示情報を前記表示装置に送信し、
前記第１端末は、前記表示装置から受信する前記表示指示情報により指定される情報を０取得し、取得した情報に基づき前記表示部により表示を行う、
請求項１から４のいずれか１項に記載の通信システム。
【請求項７】
前記第１端末は、前記制御部により前記アプリケーションの実行を開始した後、前記アプリケーションの機能により、前記表示部の表示内容を示す情報を前記表示装置に送信する、
請求項１から６のいずれか１項に記載の通信システム。
【請求項８】
表示装置及び外部の端末装置と通信可能な通信部、表示部、及び、アプリケーションを実行する制御部を備え、
前記制御部により前記アプリケーションの実行が可能な通常動作状態と、前記アプリケーションの実行及び前記表示部による表示を停止する省電力状態とを実行可能であり、
前記制御部は、
前記省電力状態において、前記外部の端末装置が送信する制御情報を前記通信部により受信した場合に、前記通常動作状態に移行し、
前記制御部により前記アプリケーションの実行を開始し、
前記アプリケーションの機能により前記表示装置に接続して通信を開始し、
前記アプリケーションの実行中に、前記表示装置から表示指示情報を送信した場合に、前記表示指示情報により指定される情報を前記表示部に表示する、
端末装置。
【請求項９】
表示装置と、
画像を表示する表示部、及び、アプリケーションを実行する制御部を備え、前記表示装置を含む外部の装置と通信する第１端末と、
前記第１端末及び前記表示装置と通信する第２端末と、を有する通信システムの制御方法であって、
前記第２端末により前記第１端末に制御情報を送信し、
前記第１端末により、前記第２端末から前記制御情報を受信し、前記制御部により前記アプリケーションの実行を開始し、前記制御部が前記アプリケーションの機能により前記表示装置に接続して、前記表示装置との通信を開始し、
前記第２端末により、前記第１端末による情報の表示を指示する表示指示情報を前記表示装置に送信し、
前記表示装置により、前記第２端末が送信する前記表示指示情報を受信し、前記表示装置に接続中の前記第１端末に前記表示指示情報を送信し、
前記第１端末が前記アプリケーションの実行中に、前記第１端末により前記表示装置が送信する前記表示指示情報を受信し、前記表示装置から受信した前記表示指示情報により指定される情報を前記表示部に表示する、
通信システムの制御方法。
【発明の詳細な説明】
【技術分野】
【０００１】
本発明は、通信システム、端末装置、及び、通信システムの制御方法に関する。
【背景技術】
【０００２】
従来、複数の端末を動作させるシステムが知られている（例えば、特許文献１参照）。特許文献１記載のシステムは、教師が使用する教師用端末と、生徒が使用する複数の生徒用端末とを有し、教師用端末によって指定される教材情報をサーバーからマルチキャスト配信し、生徒用端末が教材情報に基づき表示を行う。
【先行技術文献】
【特許文献】
【０００３】
【特許文献１】特開２００３−３６２１８号公報
【発明の概要】
【発明が解決しようとする課題】
【０００４】
上記従来のシステムは、動作の開始前に、各々の端末が、他の端末やサーバーと通信可能な状態となっている必要がある。例えば、特許文献１には、授業開始前に生徒用端末の電源を投入して立ち上げる作業、生徒用端末に宛先アドレスを設定する作業、生徒が生徒用端末を起動して授業可能な状態にする作業等を要することが記載されている。この種の作業は、端末を使用するユーザー、或いは、ユーザーの代わりに作業を行う技術者にとって大きな負荷である。
本発明は、上述した事情に鑑みてなされたものであり、端末を含む複数の装置を動作させるシステムにおいて、端末を他の装置と通信可能な状態にする作業を、より容易に行えるようにすることを目的とする。
【課題を解決するための手段】
【０００５】
上記目的を達成するために、本発明は、表示装置と、画像を表示する表示部、及び、アプリケーションを実行する制御部を備え、前記表示装置を含む外部の装置と通信する第１端末と、前記第１端末及び前記表示装置と通信する第２端末と、を有し、前記第２端末は前記第１端末に制御情報を送信し、前記第１端末は、前記第２端末から前記制御情報を受信した場合に、前記制御部により前記アプリケーションの実行を開始し、前記制御部が前記アプリケーションの機能により前記表示装置に接続し、前記表示装置との通信を開始し、前記第２端末が、前記第１端末による情報の表示を指示する表示指示情報を前記表示装置に送信し、前記表示装置は、前記第２端末から前記表示指示情報を受信して、前記表示装置に接続中の前記第１端末に前記表示指示情報を送信し、前記第１端末は、前記アプリケーションの実行中に前記表示装置から前記表示指示情報を受信した場合に、前記表示指示情報により指定される情報を前記表示部に表示する。
本発明によれば、第２端末によって第１端末にアプリケーションの実行を開始させることができ、このアプリケーションの機能により表示装置に接続させることができる。このため、第２端末を利用して、容易に、第１端末を表示装置と通信可能な状態にすることができる。さらに、第２端末から表示装置に表示指示情報を送信することで、情報を第１端末により表示させることができる。また、第１端末が表示装置に接続した後は、第２端末が表示装置に情報を送信することで第１端末を動作させることができ、第２端末が有する処理能力が低くても実現可能である。従って、第２端末をユーザーが操作することにより、第１端末に実装されたアプリケーションを動作させることが可能なシステムを実現できる。
【０００６】
また、本発明は、前記第１端末は、前記制御部により前記アプリケーションの実行が可能な通常動作状態と、前記アプリケーションの実行及び前記表示部による表示を停止する省電力状態とを実行可能であり、前記省電力状態において前記制御情報を前記第２端末から受信した場合に、前記通常動作状態に移行して前記アプリケーションを実行する構成であってもよい。
この構成によれば、第２端末によって、第１端末の省電力状態から、アプリケーションの実行を開始させることができる。従って、第１端末を省電力状態から通常動作状態に復帰させる操作を省略できる。また、第１端末を使用する予定がある場合に、事前に省電力状態から復帰させる必要がない。このため、省電力状態のまま待機させることができるので、省電力化が可能である。
【０００７】
また、本発明は、前記表示装置は、前記第１端末が前記アプリケーションの機能により前記表示装置に接続した場合に、前記表示装置に接続中の前記第１端末を示す接続情報を生成し、前記第２端末から前記表示指示情報を受信した場合に、前記接続情報に基づいて前記第１端末に前記表示指示情報を送信する構成であってもよい。
この構成によれば、表示装置が第１端末に関する接続情報を生成し、この接続情報に基づいて第１端末に表示指示情報を送信し、第１端末により情報を表示させる。従って、表示装置によって第１端末との接続状態を効率よく管理できる。
【０００８】
また、本発明は、前記第１端末は操作部を備え、前記第１端末は、前記アプリケーションの実行を開始した後、前記アプリケーションの機能により、前記操作部による操作の受け付けを制限する操作制限モードに移行する構成であってもよい。
この構成によれば、第１端末が操作されることにより第２端末および表示装置による制御の状態が乱されることを防止できる。
【０００９】
また、本発明は、前記第２端末は、前記第１端末により表示する情報と、前記表示指示情報とを前記表示装置に送信し、前記第１端末は、前記表示装置から受信する前記表示指示情報に従って、前記情報に基づき前記表示部により表示を行う構成であってもよい。
この構成によれば、第２端末が表示装置に送信する情報に基づき、第１端末に表示を実行させることができる。このため、第１端末によって表示させる情報を第２端末から配信する必要がある場合に、第２端末の負荷を軽減できる。
【００１０】
また、本発明は、前記第２端末は、前記第１端末により表示する情報を指定する前記表示指示情報を前記表示装置に送信し、前記第１端末は、前記表示装置から受信する前記表示指示情報により指定される情報を取得し、取得した情報に基づき前記表示部により表示を行う構成であってもよい。
この構成によれば、第１端末によって表示する情報を第２端末が指定することにより、第１端末による表示が行われる。このため、第１端末により情報を表示させる場合の第２端末の負荷を、より一層軽減できる。
【００１１】
また、本発明は、前記第１端末は、前記制御部により前記アプリケーションの実行を開始した後、前記アプリケーションの機能により、前記表示部の表示内容を示す情報を前記表示装置に送信する構成であってもよい。
この構成によれば、第１端末が表示する内容を表示装置で処理することができる。
【００１２】
また、上記目的を達成するために、本発明は、表示装置及び外部の端末装置と通信可能な通信部、表示部、及び、アプリケーションを実行する制御部を備え、前記制御部により前記アプリケーションの実行が可能な通常動作状態と、前記アプリケーションの実行及び前記表示部による表示を停止する省電力状態とを実行可能であり、前記制御部は、前記省電力状態において、前記外部の端末装置が送信する制御情報を前記通信部により受信した場合に、前記通常動作状態に移行し、前記制御部により前記アプリケーションの実行を開始し、前記アプリケーションの機能により前記表示装置に接続して通信を開始し、前記アプリケーションの実行中に、前記表示装置から表示指示情報を送信した場合に、前記表示指示情報により指定される情報を前記表示部に表示する。
本発明によれば、端末装置に対し、外部の端末装置によってアプリケーションの実行を開始させ、このアプリケーションの機能により表示装置に接続させることができる。このため、外部の端末装置を利用して、容易に、端末装置を表示装置と通信可能な状態にすることができる。
【００１３】
また、上記目的を達成するために、本発明は、表示装置と、画像を表示する表示部、及び、アプリケーションを実行する制御部を備え、前記表示装置を含む外部の装置と通信する第１端末と、前記第１端末及び前記表示装置と通信する第２端末と、を有する通信システムの制御方法であって、前記第２端末により前記第１端末に制御情報を送信し、前記第１端末により、前記第２端末から前記制御情報を受信し、前記制御部により前記アプリケーションの実行を開始し、前記制御部が前記アプリケーションの機能により前記表示装置に接続して、前記表示装置との通信を開始し、前記第２端末により、前記第１端末によるデータの表示を指示する表示指示情報を前記表示装置に送信し、前記表示装置により、前記第２端末が送信する前記表示指示情報を受信し、前記表示装置に接続中の前記第１端末に前記表示指示情報を送信し、前記第１端末が前記アプリケーションの実行中に、前記第１端末により前記表示装置が送信する前記表示指示情報を受信し、前記表示装置から受信した前記表示指示情報により指定される情報を前記表示部に表示する。
本発明によれば、第２端末によって第１端末にアプリケーションの実行を開始させることができ、このアプリケーションの機能により表示装置に接続させることができる。このため、第２端末を利用して、容易に、第１端末を表示装置と通信可能な状態にすることができる。さらに、第２端末から表示装置に表示指示情報を送信することで、情報を第１端末により表示させることができる。また、第１端末が表示装置に接続した後は、第２端末が表示装置に情報を送信することで第１端末を動作させることができ、第２端末が有する処理能力が低くても実現可能である。従って、第２端末をユーザーが操作することにより、第１端末に実装されたアプリケーションを動作させることが可能なシステムを実現できる。
【図面の簡単な説明】
【００１４】
【図１】表示システムの概略構成を示す図。
【図２】タブレット端末の機能ブロック図。
【図３】プロジェクターの機能ブロック図。
【図４】表示システムの動作を示すシーケンス図。
【図５】タブレット端末の表示例を示す図。
【図６】タブレット端末の表示例を示す図。
【図７】タブレット端末の表示例を示す図。
【図８】タブレット端末の表示例を示す図。
【図９】タブレット端末の表示例を示す図。
【発明を実施するための形態】
【００１５】
以下、図面を参照して本発明を適用した実施形態について説明する。
図１は、表示システム１（通信システム）の概略構成を示す図である。
表示システム１は、スクリーンＳＣに画像を投射するプロジェクター１００（表示装置）を備える。表示システム１では、プロジェクター１００に、タブレット端末２及びタブレット端末３がデータ通信可能に接続する。表示システム１を構成するタブレット端末２、３の数について制限はなく、それぞれ１台であっても複数台であってもよい。本実施形態では、表示システム１が１台のタブレット端末２及び複数台のタブレット端末３を含む構成を例として示す。
【００１６】
タブレット端末２及びタブレット端末３は、ユーザーが使用する可搬型のコンピューターの一例である。タブレット端末２、３は、平板状の本体にバッテリー（図示略）を内蔵する携帯型の端末であり、少なくとも、ユーザーが操作する操作部と、画像等を表示する表示部と、制御機能を実行する制御部とを有する。具体的には、タブレット端末２は操作部及び表示部としてタッチパネル２０１を備え、制御部２１０を備える。また、タブレット端末３は、操作部及び表示部としてタッチパネル３０１を備え、制御部３１０を備える。
タブレット端末２は第２端末に対応し、タブレット端末３は第１端末に対応する。
【００１７】
タブレット端末２及びタブレット端末３は、例えば、役割が異なるユーザーに割り当てられる。タブレット端末２を操作するユーザーは、例えばモデレーターであり、タブレット端末３を使用するユーザーは参加者である。例えば教育の場で表示システム１を使用する場合、教育を行う側のユーザー（例えば、教員）がタブレット端末２を使用し、教育を受ける側のユーザー（例えば、生徒）がタブレット端末３を使用する。
【００１８】
プロジェクター１００は、タブレット端末２またはタブレット端末３から送信されるデータに基づき、画像を投射する。プロジェクター１００は、ＰＣ（パーソナルコンピューター）や、ＤＶＤ等を再生するメディア再生装置等の画像供給装置に接続され、画像供給装置が出力する画像信号に基づいて画像を投射してもよい。
【００１９】
タッチパネル２０１、３０１は、液晶表示パネルや有機ＥＬパネル等を有する表示パネルと、接触操作を検出するタッチセンサーとを重ねて構成される。タブレット端末２、３は、タッチパネル２０１、３０１にユーザーの指や手が接触したことを検出し、検出した接触位置に基づき動作を実行する。タッチパネル３０１は、タブレット端末３の表示部に相当する。
【００２０】
表示システム１では、プロジェクター１００とタブレット端末２、及びプロジェクター１００とタブレット端末３がそれぞれ通信可能に接続された構成である。また、タブレット端末２とタブレット端末３とが相互に通信可能である。一つの構成例として、表示システム１は、通信装置４を含む。通信装置４は、タブレット端末２、３を含む無線通信ネットワークを構成する。また、通信装置４とプロジェクター１００とはケーブルにより通信可能に接続される。
【００２１】
なお、表示システム１における装置間の通信方式は上記構成に限定されず、タブレット端末２とタブレット端末３とが、例えば無線ＬＡＮ（Ｌｏｃａｌ  Ａｒｅａ  Ｎｅｔｗｏｒｋ）のアドホックモードで直接、通信を実行してもよい。また、プロジェクター１００が、タブレット端末２及び／またはタブレット端末３と無線通信を実行してもよく、表示システム１に通信装置４を設けない構成であってもよい。また、プロジェクター１００が通信装置４と無線通信を実行する構成であってもよい。
【００２２】
図２は、タブレット端末２及びタブレット端末３の機能ブロック図である。
タブレット端末２は、通信Ｉ／Ｆ（インターフェイス）部２０３、及びＩ／Ｆ（インターフェイス）部２０４を備える。通信Ｉ／Ｆ部２０３は、外部の装置と通信を実行する。通信Ｉ／Ｆ部２０３は、Ｅｔｈｅｒｎｅｔ（登録商標）等の有線通信を実行する構成であってもよいが、本実施形態では無線ＬＡＮ（ＷｉＦｉ（登録商標）を含む）、Ｂｌｕｅｔｏｏｔｈ（登録商標）等の無線通信を実行する。タブレット端末２は、通信Ｉ／Ｆ部２０３により通信装置４と無線通信を実行する。また、上述したように、タブレット端末２が通信Ｉ／Ｆ部２０３によってタブレット端末３と直接、無線通信を実行してもよい。
【００２３】
Ｉ／Ｆ部２０４は、タブレット端末２に外部の機器を接続するインターフェイスである。Ｉ／Ｆ部２０４は、例えば、外部の機器に有線接続する有線接続用のコネクターと、このコネクターに対応するインターフェイス回路とを備える有線の通信インターフェイスである。具体的には、ＩＥＥＥ１３９４、ＵＳＢ（Ｕｎｉｖｅｒｓａｌ  Ｓｅｒｉａｌ  Ｂｕｓ）等が挙げられる。また、ＭＨＬ（登録商標）（Ｍｏｂｉｌｅ  Ｈｉｇｈ−ｄｅｆｉｎｉｔｉｏｎ  Ｌｉｎｋ）、ＨＤＭＩ（登録商標）（Ｈｉｇｈ−Ｄｅｆｉｎｉｔｉｏｎ  Ｍｕｌｔｉｍｅｄｉａ  Ｉｎｔｅｒｆａｃｅ）等であってもよい。
【００２４】
タブレット端末２は、制御部２１０、表示部２０５、入力部２０６、及び記憶部２２０を備え、これらの各部は、通信Ｉ／Ｆ部２０３及びＩ／Ｆ部２０４とともにバス２０７で相互接続される。
【００２５】
制御部２１０は、ＣＰＵ（Ｃｅｎｔｒａｌ  Ｐｒｏｃｅｓｓｉｎｇ  Ｕｎｉｔ）やマイコン等のプロセッサー（図示略）を備え、プロセッサーによってプログラムを実行することにより、タブレット端末２の各部を制御する。制御部２１０は、プロセッサーが実行する制御プログラムを不揮発的に記憶するＲＯＭ（Ｒｅａｄ  Ｏｎｌｙ  Ｍｅｍｏｒｙ、及び、プロセッサーのワークエリアを構成するＲＡＭ（Ｒａｎｄｏｍ  Ａｃｃｅｓｓ  Ｍｅｍｏｒｙ）を備えてもよい。制御部２１０は、ＲＯＭに記憶されたプログラムや、記憶部２２０に記憶されたプログラムをプロセッサーで実行し、ソフトウェアとハードウェアとの協働により、タブレット端末２の各種機能を実現する。
【００２６】
表示部２０５及び入力部２０６はタッチパネル２０１に接続される。表示部２０５は、制御部２１０の制御に従い、タッチパネル２０１に各種画面を表示する。入力部２０６は、タッチパネル２０１における接触操作を検出して、検出した操作の位置を示す座標データを制御部２１０に出力する。
【００２７】
また、タブレット端末２が、例えば電源ボタン（図示略）、ホームボタン（図示略）等のハードウェアキーを有する場合、入力部２０６は、これらハードウェアキーの操作を検出し、操作されたキーを示す操作信号を制御部２１０に出力する。
【００２８】
記憶部２２０は、制御部２１０が実行するプログラムや、各種データを不揮発的に記憶する。記憶部２２０は、ＯＳ（オペレーティングシステム）２２１、アプリケーションプログラム２２２、通信設定データ２２３、端末管理データ２２４、及び、コンテンツデータ２２５を記憶する。
【００２９】
ＯＳ２２１は、制御部２１０により実行されるプログラムである。ＯＳ２２１は、タブレット端末２の起動時に制御部２１０によりロードされて実行され、タブレット端末２の基本的な機能を実行する。ＯＳ２２１は、アプリケーションプログラム２２２が実行されるプラットフォームとして、基本的な各種機能を提供する。例えば、制御部２１０がアプリケーションプログラム２２２を実行すると、アプリケーションプログラム２２２がＡＰＩ（Ａｐｐｌｉｃａｔｉｏｎ  Ｐｒｏｇｒａｍｍｉｎｇ  Ｉｎｔｅｒｆａｃｅ）等によりＯＳ２２１の機能を呼び出して動作する。
【００３０】
アプリケーションプログラム２２２は、制御部２１０によって実行されるプログラムであって、タブレット端末２の機能を実現する。アプリケーションプログラム２２２は、タブレット端末２が有する１または複数の機能に対応し、タブレット端末２は、複数の機能に対応する複数のアプリケーションプログラム２２２を有する構成とすることができる。例えば、タブレット端末２は、コンテンツデータ２２５の再生、タブレット端末３の管理、各種設定、メッセージ送受信、文書編集、文書閲覧、描画等の各々の機能に対応するアプリケーションプログラム２２２を有する。
【００３１】
タブレット端末２には、複数のアプリケーションプログラム２２２をインストールできる。この場合、記憶部２２０は、タブレット端末２にインストールされたアプリケーションプログラム２２２を構成する実行ファイルや、実行時の環境等を定める設定ファイルを記憶する。
【００３２】
本実施形態では、タブレット端末２に、タブレット端末３を管理するアプリケーションプログラム２２２がインストールされている。タブレット端末２は、タブレット端末３を管理するアプリケーションプログラム２２２を制御部２１０により実行して、タブレット端末３やプロジェクター１００に対する情報の送信等の機能を実行できる。
【００３３】
制御部２１０は、タッチパネル２０１に対する操作、予め設定されたスケジュール、或いは、通信Ｉ／Ｆ部２０３やＩ／Ｆ部２０４によって受信するコマンド等に従って、アプリケーションプログラム２２２を実行する。
【００３４】
通信設定データ２２３は、通信Ｉ／Ｆ部２０３によってプロジェクター１００と通信するための設定データである。詳細には、通信設定データ２２３は、タブレット端末２がプロジェクター１００にアクセスし、通信を確立するために使用される情報を含む。例えば、通信設定データ２２３は、プロジェクター１００及びタブレット端末２を含む通信ネットワークにおけるプロジェクター１００のネットワークアドレスを含む。また、プロジェクター１００がタブレット端末２等の端末を認証する場合に、タブレット端末２等の端末がプロジェクター１００に送信する認証用のＩＤ及び／またはパスワードを含んでもよく、その他の情報を含んでもよい。また、タブレット端末２がプロジェクター１００を認証する場合に使用する認証用の情報を含んでもよい。
【００３５】
端末管理データ２２４は、表示システム１を構成するタブレット端末３に関する情報を含む。具体的には、各々のタブレット端末３を識別可能な情報として、例えば各々のタブレット端末３に固有のＩＤを含む。また、端末管理データ２２４は、タブレット端末２及びタブレット端末３を含む通信ネットワークにおけるタブレット端末３のネットワークアドレスを含んでもよい。また、タブレット端末３がタブレット端末２を認証する場合、または、タブレット端末２がタブレット端末３を認証する場合に使用される認証用のＩＤやパスワードを含んでもよい。
【００３６】
表示システム１では、タブレット端末２を操作するモデレーターが行うイベント（授業など）で、表示システム１を構成するタブレット端末３のうち、一部のタブレット端末３のみを使用することもできる。この場合、端末管理データ２２４は、使用されるタブレット端末３に関する情報を含む。
【００３７】
コンテンツデータ２２５は、静止画像や動画像（映像）で構成される表示用のデータである。コンテンツデータ２２５は、音声データを含んでもよい。
【００３８】
制御部２１０は、制御部２１０の機能を示す機能ブロックとして、入力処理部２１１、通信制御部２１２、表示制御部２１３、及び、電源制御部２１４を有する。これらの機能ブロックは、制御部２１０のプロセッサーが、記憶部２２０またはＲＯＭ（図示略）に記憶されるプログラムを実行することにより、ソフトウェアとハードウェアの協働により実現される。例えば、ＯＳ２２１が、入力処理部２１１、通信制御部２１２、表示制御部２１３、及び電源制御部２１４の機能を含んでもよい。また、これら機能ブロックの一部がアプリケーションプログラム２２２により実現されてもよい。
【００３９】
入力処理部２１１は、入力部２０６により検出される接触操作の操作位置に基づき、入力の内容を特定する。また、入力処理部２１１は、入力部２０６からハードウェアキーの操作を示す操作信号が入力された場合、ハードウェアキーの操作を検出する。
【００４０】
通信制御部２１２は、通信Ｉ／Ｆ部２０３、及びＩ／Ｆ部２０４を制御して、タブレット端末２と外部の装置との間の通信を実行する。通信制御部２１２は、例えば、通信Ｉ／Ｆ部２０３によって、タブレット端末３またはプロジェクター１００との間で無線通信を実行する。
【００４１】
表示制御部２１３は、表示部２０５を制御して、タッチパネル２０１に各種画像を表示させる。表示制御部２１３は、入力処理部２１１が特定した入力内容に対応して、タッチパネル２０１の表示を変化させる処理を行う。また、表示制御部２１３は、記憶部２２０が記憶するコンテンツデータ２２５を再生する処理を実行し、コンテンツデータ２２５に基づく画像を表示部２０５により表示させる。
【００４２】
電源制御部２１４は、タブレット端末２の各部の動作状態を制御する。具体的には、タブレット端末２の動作状態を、通常動作状態と、スタンバイ状態（省電力状態）と、停止状態とに切り替える。停止状態はタブレット端末２の電源がオフにされた状態であり、スタンバイ状態は、タブレット端末２の省電力状態であり、スリープ状態ともいわれる状態である。スタンバイ状態において、タブレット端末２は、Ｉ／Ｆ部２０４、表示部２０５、及び入力部２０６が停止し、制御部２１０及び記憶部２２０が間欠的に動作することで、消費電力を低下させる。
【００４３】
タブレット端末３は、タブレット端末２と同様に構成される端末装置である。タブレット端末３は、通信Ｉ／Ｆ部３０３、Ｉ／Ｆ部３０４、表示部３０５、入力部３０６、制御部３１０、及び、記憶部３２０を備える。これらの各部はバス３０７により相互に接続される。
【００４４】
通信Ｉ／Ｆ部３０３（通信部）は、例えば通信Ｉ／Ｆ部２０３と同様に構成され、プロジェクター１００やタブレット端末２等の外部の装置と通信を実行する。通信Ｉ／Ｆ部３０３は、通信装置４を介して通信を実行するものであってもよいし、タブレット端末２やプロジェクター１００と直接、無線通信を実行してもよい。
Ｉ／Ｆ部３０４は、タブレット端末３に外部の機器を接続するインターフェイスであり、例えば、Ｉ／Ｆ部２０４と同様に構成される。
【００４５】
制御部３１０は、ＣＰＵやマイコン等のプロセッサー（図示略）を備え、このプロセッサーによってプログラムを実行することにより、タブレット端末３の各部を制御する。制御部３１０は、プロセッサーが実行する制御プログラムを不揮発的に記憶するＲＯＭ、及び、プロセッサーのワークエリアを構成するＲＡＭを備えてもよい。制御部３１０は、ＲＯＭに記憶されたプログラムや、記憶部３２０に記憶されたプログラムをプロセッサーで実行し、ソフトウェアとハードウェアとの協働により、タブレット端末３の各種機能を実現する。
【００４６】
表示部３０５及び入力部３０６はタッチパネル３０１に接続される。表示部３０５は、制御部３１０の制御に従い、タッチパネル３０１に各種画面を表示する。入力部３０６は、タッチパネル３０１における接触操作を検出して、検出した操作の位置を示す座標データを制御部３１０に出力する。
また、タブレット端末３が、例えば電源ボタン（図示略）、ホームボタン（図示略）等のハードウェアキーを有する場合、入力部３０６は、これらハードウェアキーの操作を検出し、操作されたキーを示す操作信号を制御部３１０に出力する。
【００４７】
記憶部３２０は、制御部３１０が実行するプログラムや、各種データを不揮発的に記憶する。記憶部３２０は、ＯＳ３２１、アプリケーションプログラム３２２、通信設定データ３２３、端末管理データ３２４、及び、コンテンツデータ２２５を記憶する。
【００４８】
ＯＳ３２１は、制御部３１０により実行されるプログラムである。ＯＳ３２１は、タブレット端末３の起動時に制御部３１０によりロードされて実行され、タブレット端末３の基本的な機能を実行する。ＯＳ３２１は、アプリケーションプログラム３２２が実行されるプラットフォームとして、基本的な各種機能を提供する。例えば、制御部３１０がアプリケーションプログラム３２２を実行すると、アプリケーションプログラム３２２はＡＰＩによってＯＳ３２１の機能を呼び出して動作する。
【００４９】
アプリケーションプログラム３２２（アプリケーション）は、制御部３１０によって実行されるプログラムであって、タブレット端末３の機能を実現する。アプリケーションプログラム３２２は、タブレット端末３が有する１または複数の機能に対応する。タブレット端末３は、複数の機能に対応する複数のアプリケーションプログラム３２２を有する構成とすることができる。例えば、タブレット端末３は、コンテンツデータ２２５の再生、タブレット端末３の管理、各種設定、メッセージ送受信、文書編集、文書閲覧、描画等の各々の機能に対応するアプリケーションプログラム３２２を有する。
【００５０】
タブレット端末３には、複数のアプリケーションプログラム３２２をインストールできる。この場合、記憶部３２０は、タブレット端末３にインストールされたアプリケーションプログラム３２２を構成する実行ファイルや実行時の環境等を定める設定ファイルを記憶する。
【００５１】
本実施形態では、タブレット端末３に、プロジェクター１００に接続する機能を有するアプリケーションプログラム３２２がインストールされる。このアプリケーションプログラム３２２を制御部３１０が実行することにより、タブレット端末３は、プロジェクター１００に接続して無線通信を確立する。さらに、タブレット端末３は、プロジェクター１００から送信されるコマンドに従って、表示用データ３２４等に基づきタッチパネル３０１に画像を表示する。
【００５２】
制御部３１０は、タッチパネル３０１に対する操作、予め設定されたスケジュール、或いは、通信Ｉ／Ｆ部３０３やＩ／Ｆ部３０４によって受信するコマンド等に従って、アプリケーションプログラム３２２を実行する。
【００５３】
通信設定データ３２３は、通信Ｉ／Ｆ部３０３によってプロジェクター１００と通信するための設定データである。詳細には、通信設定データ３２３は、タブレット端末３がプロジェクター１００にアクセスし、通信を確立するために使用される情報を含む。例えば、通信設定データ３２３は、プロジェクター１００及びタブレット端末３を含む通信ネットワークにおけるプロジェクター１００のネットワークアドレスを含む。また、プロジェクター１００がタブレット端末３等の端末を認証する場合に、タブレット端末３等の端末がプロジェクター１００に送信する認証用のＩＤ及び／またはパスワードを含んでもよく、その他の情報を含んでもよい。また、タブレット端末３がプロジェクター１００を認証する場合に使用する認証用の情報を含んでもよい。
【００５４】
表示用データ３２４は、タブレット端末３がタッチパネル３０１に画像等を表示するためのデータである。表示用データ３２４は、例えば、画像データ、映像データ、文書データ等で構成され、ファイル形式で表示用データ３２４に記憶される。記憶部３２０は複数の表示用データ３２４を記憶可能であり、表示用データ３２４のファイル名、及び、記憶部３２０におけるファイルパスによって、一意に表示用データ３２４を特定できる。例えば、表示用データ３２４は、ＰＤＦ（Ｐｏｒｔａｂｌｅ  Ｄｏｃｕｍｅｎｔ  Ｆｏｒｍａｔ）ファイルやプレゼンテーション用ファイルである。
【００５５】
タブレット端末３は、予め指定されたファイルパス及びファイル名を有する表示用データ３２４を記憶し、この表示用データ３２４のファイルパス及びファイル名を、タブレット端末２が有する構成であってもよい。この場合、タブレット端末２が記憶する端末管理データ２２４に、タブレット端末３を特定する情報と、タブレット端末３が記憶する表示用データ３２４のファイルパス及びファイル名とが含まれる。
【００５６】
また、タブレット端末３は、プロジェクター１００やタブレット端末２、或いは他の装置から、通信Ｉ／Ｆ部２０３またはＩ／Ｆ部２０４を介してデータを取得し、取得したデータを表示用データ３２４として記憶してもよい。
【００５７】
制御部３１０は、制御部３１０の機能を示す機能ブロックとして、入力処理部３１１、通信制御部３１２、表示制御部３１３、及び、電源制御部３１４を有する。これらの機能ブロックは、制御部３１０のプロセッサーが、記憶部３２０またはＲＯＭ（図示略）に記憶されるプログラムを実行することにより、ソフトウェアとハードウェアの協働により実現される。例えば、ＯＳ３２１が、入力処理部３１１、通信制御部３１２、表示制御部３１３、及び電源制御部３１４の機能を含んでもよい。また、これら機能ブロックの一部がアプリケーションプログラム３２２により実現されてもよい。
【００５８】
入力処理部３１１は、入力部３０６により検出される接触操作の操作位置に基づき、入力の内容を特定する。また、入力処理部３１１は、入力部３０６からハードウェアキーの操作を示す操作信号が入力された場合、ハードウェアキーの操作を検出する。
【００５９】
通信制御部３１２は、通信Ｉ／Ｆ部３０３、及びＩ／Ｆ部３０４を制御して、タブレット端末３と外部の装置との間の通信を実行する。通信制御部３１２は、例えば、通信Ｉ／Ｆ部３０３によって、タブレット端末３またはプロジェクター１００との間で無線通信を実行する。
【００６０】
表示制御部３１３は、表示部３０５を制御して、タッチパネル３０１に各種画像を表示させる。表示制御部３１３は、入力処理部３１１が特定した入力内容に対応して、タッチパネル３０１の表示を変化させる処理を行う。また、表示制御部３１３は、記憶部３２０が記憶するコンテンツデータ２２５を再生する処理を実行し、コンテンツデータ２２５に基づく画像を表示部３０５により表示させる。
【００６１】
電源制御部３１４は、タブレット端末３の各部の動作状態を制御する。具体的には、タブレット端末３の動作状態を、通常動作状態と、スタンバイ状態と、停止状態とに切り替える。停止状態はタブレット端末３の電源がオフにされた状態であり、スタンバイ状態は、タブレット端末３の省電力状態である。スタンバイ状態において、タブレット端末３は、Ｉ／Ｆ部３０４、表示部３０５、及び入力部３０６が停止し、制御部３１０及び記憶部３２０が間欠的に動作することで、消費電力を低下させる。
【００６２】
スタンバイ状態で、タブレット端末３は、通信Ｉ／Ｆ部３０３によってコマンドを受信可能である。すなわち、スタンバイ状態では、通信Ｉ／Ｆ部３０３が、無線信号を検出して受信可能な状態である。通信Ｉ／Ｆ部３０３は、無線信号を受信するため、周期的に無線信号の受信を試行する受信動作を実行する。具体的には、無線信号の受信を試行する期間（以下、ウィンドウ期間と呼ぶ）と、受信しない期間とを周期的に繰り返す間欠受信動作を実行する。通信Ｉ／Ｆ部３０３のウィンドウ期間の長さや間欠受信動作の１周期におけるウィンドウ期間のデューティーは、制御部３１０の制御により変更できる。
【００６３】
スタンバイ状態では、ウィンドウ期間の長さ、及び、ウィンドウ期間のデューティーの少なくとも一方が、通常動作状態よりも省電力となるよう変更される。具体的には、通常動作状態よりも、ウィンドウ期間が短く設定され、或いは、ウィンドウ期間のデューティーが小さく設定される。
【００６４】
制御部３１０は、通常動作状態からスタンバイ状態に移行した後、通信Ｉ／Ｆ部３０３により所定のコマンドを検出した場合に、スタンバイ状態から通常動作状態に復帰する。ここで、制御部３１０は、検出したコマンドがアプリケーションプログラム３２２の実行を指示するコマンドである場合、指示されたアプリケーションプログラム３２２を実行する。
【００６５】
図３は、プロジェクター１００の機能ブロック図である。
プロジェクター１００は、外部機器に接続されるインターフェイスとして、Ｉ／Ｆ部１１、通信Ｉ／Ｆ部１２及び画像Ｉ／Ｆ部１３を備える。Ｉ／Ｆ部１１は、例えば外部の機器に有線接続される有線接続用のコネクターと、このコネクターに対応するインターフェイス回路とを備える。具体的には、ＩＥＥＥ１３９４、ＵＳＢ等に準拠したものが挙げられる。
【００６６】
通信Ｉ／Ｆ部１２は、外部の機器と通信を実行する通信インターフェイスであり、優先通信インターフェイス或いは無線通信インターフェイスで構成される。例えば、通信Ｉ／Ｆ部１２は、無線ＬＡＮ（ＷｉＦｉを含む）、Ｂｌｕｅｔｏｏｔｈ、Ｍｉｒａｃａｓｔ（登録商標）等に対応する。通信Ｉ／Ｆ部１２は、通信装置４を介してタブレット端末２及び／またはタブレット端末３と通信を実行する。また、通信Ｉ／Ｆ部１２は、通信装置４を介さずにタブレット端末２、３と直接、無線通信を実行する構成であってもよい。
【００６７】
画像Ｉ／Ｆ部１３は、ＤＶＩ、Ｄ端子、Ｓ端子、コンポジット、Ｄ−Ｓｕｂ等の画像入力インターフェイスとして構成される。画像Ｉ／Ｆ部１３は、音声データが入力されるインターフェイスを備えてもよい。画像Ｉ／Ｆ部１３は、例えば、上述した画像供給装置に接続され、デジタル画像データ、或いはアナログ画像信号が入力される。
【００６８】
アンテナ、ＲＦ回路、及び、変調／復調回路を含む無線通信インターフェイスであってもよい。例えば、インターフェイスであってもよい。
【００６９】
プロジェクター１００は、光学的な画像の形成を行う投射部２０を備える。投射部２０は、光源部２１、光変調装置２２及び投射光学系２３を有する。光源部２１は、キセノンランプ、超高圧水銀ランプ、ＬＥＤまたはレーザー光源等からなる光源を備える。
【００７０】
光変調装置２２は、光源部２１が発した光を変調して画像光を生成し、投射光学系２３に射出する。光変調装置２２は、例えばＲＧＢの三原色に対応した３枚の透過型液晶パネルを備え、この液晶パネルを透過する光を変調する。
【００７１】
投射光学系２３は、光変調装置２２で変調された画像光をスクリーンＳＣ方向へ導き、スクリーンＳＣ上に結像させる。投射光学系２３は、投射画像の拡大・縮小を行うズーム機構やフォーカスの調整を行うフォーカス調整機構を備えてもよい。
【００７２】
投射部２０は、制御部３０の制御に従って光源部２１を点灯させる光源駆動部４５、及び制御部３０の制御に従って光変調装置２２を動作させる光変調装置駆動部４６に接続される。光源駆動部４５は、光源部２１の点灯、消灯の切り替えを行い、光源部２１の光量を調整する機能を有していてもよい。
【００７３】
プロジェクター１００は、投射部２０が投射する画像を処理する画像処理系を備える。この画像処理系は、プロジェクター１００を制御する制御部３０、記憶部６０、入力受付部１７、画像処理部４０、光源駆動部４５及び光変調装置駆動部４６を含む。また、画像処理部４０にはフレームメモリー４１が接続され、フレームメモリー４１を画像処理系に含めてもよい。
【００７４】
制御部３０は、ＣＰＵやマイコン等のプロセッサー（図示略）を備え、このプロセッサーによってプログラムを実行することにより、プロジェクター１００の各部を制御する。制御部３０は、プロセッサーが実行する制御プログラムを不揮発的に記憶するＲＯＭ、及び、プロセッサーのワークエリアを構成するＲＡＭを備えてもよい。制御部３０は、ＲＯＭに記憶されたプログラムや、記憶部６０に記憶されたプログラムをプロセッサーで実行し、ソフトウェアとハードウェアとの協働により、プロジェクター１００の各種機能を実現する。
【００７５】
記憶部６０は、制御部３０を構成する制御部３０が実行するプログラム、及び、制御部３０により処理される各種データを不揮発的に記憶する。
記憶部６０が記憶するデータには、表示用データ６１、及び通信設定データ６２が含まれる。
【００７６】
表示用データ６１は、通信Ｉ／Ｆ部１２によりタブレット端末２またはタブレット端末３から受信したデータであり、投射部２０によって表示されるデータである。表示用データ６１は、画像データや動画像データで構成される。
【００７７】
通信設定データ６２（接続情報）は、プロジェクター１００が通信Ｉ／Ｆ部１２により通信可能なタブレット端末３に関するデータである。より詳細には、通信設定データ６２は、プロジェクター１００がタブレット端末３と通信するために必要な設定データである。具体的には、通信設定データ６２は、プロジェクター１００及びタブレット端末３を含む通信ネットワークにおけるタブレット端末３のネットワークアドレスを含む。また、プロジェクター１００がタブレット端末３を認証する場合に、タブレット端末３がプロジェクター１００に送信する認証用のＩＤ及び／またはパスワードを含んでもよく、その他の情報を含んでもよい。
【００７８】
画像処理部４０は、制御部３０の制御に従って画像データを処理し、光変調装置駆動部４６に画像信号を出力する。画像処理部４０が実行する処理は、３Ｄ（立体）画像と２Ｄ（平面）画像の判別処理、解像度変換処理、フレームレート変換処理、歪み補正処理、デジタルズーム処理、色調補正処理、輝度補正処理等である。画像処理部４０は、制御部３０により指定された処理を実行し、必要に応じて、制御部３０から入力されるパラメーターを使用して処理を行う。また、上記のうち複数の処理を組み合わせて実行することも勿論可能である。
【００７９】
画像処理部４０は、フレームメモリー４１に接続される。画像処理部４０は、画像Ｉ／Ｆ部１３に入力される画像データを、入力画像データとして処理する。制御部３０により、Ｉ／Ｆ部１１に入力される画像データが画像処理部４０に転送される場合、画像処理部４０は、制御部３０が転送する画像データを入力画像データとして処理する。Ｉ／Ｆ部１１に入力される画像データは、例えば、制御部３０の制御により、プロジェクター１００が外部の機器から取得する表示用データ６１を含む。
【００８０】
画像処理部４０は、入力画像データをフレームメモリー４１に展開し、フレームメモリー４１に画像を描画する。画像処理部４０は、フレームメモリー４１に展開した画像に対し、上記の各処理を実行する。
【００８１】
画像処理部４０は、処理後の画像データをフレームメモリー４１から読み出して、この画像データに対応するＲ、Ｇ、Ｂの画像信号を生成し、光変調装置駆動部４６に出力する。画像処理部４０は、例えば、画像Ｉ／Ｆ部１３に入力される画像データが、連続するフレームで構成される動画像データである場合、それぞれのフレームをフレームメモリー４１に展開する。この場合、画像処理部４０は、画像Ｉ／Ｆ部１３から入力されるフレームを順次、フレームメモリー４１に展開し、投射部２０によって投射させる。
【００８２】
光変調装置駆動部４６は、光変調装置２２の液晶パネルに接続される。光変調装置駆動部４６は、画像処理部４０から入力される画像信号に基づいて液晶パネルを駆動し、各液晶パネルに画像を描画する。
【００８３】
入力受付部１７は、リモコン受光部１８及び操作パネル１９に接続され、リモコン受光部１８及び操作パネル１９を介した操作を検出する。リモコン受光部１８及び操作パネル１９は、入力デバイスとして機能する。
【００８４】
リモコン受光部１８は、プロジェクター１００のユーザーが使用するリモコン（図示略）がボタン操作に対応して送信した赤外線信号を受光する。リモコン受光部１８は、上記リモコンから受光した赤外線信号をデコードして、上記リモコンにおける操作内容を示す操作データを生成し、制御部３０に出力する。
【００８５】
操作パネル１９は、プロジェクター１００の外装筐体に設けられ、各種スイッチ及びインジケーターランプを有する。入力受付部１７は、制御部３０の制御に従い、プロジェクター１００の動作状態や設定状態に応じて操作パネル１９のインジケーターランプを適宜点灯及び消灯させる。操作パネル１９のスイッチが操作されると、操作されたスイッチに対応する操作データが入力受付部１７から制御部３０に出力される。
【００８６】
制御部３０は、記憶部６０が記憶する制御プログラム６１を読み出して実行することにより、投射制御部３１、及び通信制御部３２の機能を実現し、プロジェクター１００の各部を制御する。
【００８７】
投射制御部３１は、入力受付部１７から入力される操作データに基づいて、ユーザーがリモコンを操作して行った操作内容を取得する。投射制御部３１は、ユーザーが行った操作に応じて画像処理部４０、光源駆動部４５及び光変調装置駆動部４６を制御し、スクリーンＳＣに画像を投射させる。
【００８８】
また、投射制御部３１は、画像処理部４０を制御して、上述した３Ｄ（立体）画像と２Ｄ（平面）画像の判別処理、解像度変換処理、フレームレート変換処理、歪み補正処理、デジタルズーム処理、色調補正処理、輝度補正処理等を実行させる。また、投射制御部３１は、画像処理部４０の処理に合わせて光源駆動部４５を制御し、光源部２１の光量を制御する。
【００８９】
通信制御部３２は、Ｉ／Ｆ部１１及び通信Ｉ／Ｆ部１２により外部の機器との間で通信を実行する。
【００９０】
以上のように構成される表示システム１において、タブレット端末２は、アプリケーションプログラム２２２を実行することにより、モデレーターが使用するモデレーター機として機能する。詳細には、タブレット端末２は、プロジェクター１００と無線通信を行い、タブレット端末２がタッチパネル２０１に表示する画像を、プロジェクター１００により表示させる。
【００９１】
また、タブレット端末２は、タブレット端末３に対し、コンテンツを指定し、コンテンツの表示を指示する。例えば、タブレット端末２は、タブレット端末３に表示させる表示用データ３２４、及び、表示用データ３２４において表示する部分を指定するコマンドを、タブレット端末３に送信する。タブレット端末３は、タブレット端末２が送信するコマンドで指定された表示用データ３２４に基づく画像を、タッチパネル３０１に表示する。
【００９２】
また、タブレット端末３がスタンバイ状態に移行した後、タブレット端末２がタブレット端末３にコマンドを送信することで、タブレット端末３をスタンバイ状態から通常動作状態に復帰させることができる。この場合、タブレット端末３は、タブレット端末２が指定するアプリケーションプログラム３２２を実行する。
【００９３】
図４は、表示システム１の動作を示すシーケンス図である。また、図５、図６、図７、図８及び図９は、図４に示す動作の実行時にタブレット端末２が表示する表示例を示す図である。
【００９４】
表示システム１は、タブレット端末２、タブレット端末３、及び通信装置４が相互に通信を確立していない状態で、図４の動作を実行する。
図４の動作の開始時において、タブレット端末３は、起動済みの状態であり、通常動作状態またはスタンバイ状態である。本実施形態では、特に、タブレット端末３はスタンバイ状態であり、外部の機器からのアクセスを待機する待ち受け状態である（ステップＳ１）。
【００９５】
タブレット端末２は、タッチパネル２０１の操作によってプロジェクター１００への接続が指示された場合に（ステップＳ１１）、プロジェクター１００に対する接続要求を行う（ステップＳ１２）。この接続要求にプロジェクター１００が応答することにより、タブレット端末２とプロジェクター１００との間の通信が確立される（ステップＳ１３）。
【００９６】
図５及び図６は、タブレット端末２が表示する操作画面４０１の表示例を示す。
図５に示す操作画面４０１は、タブレット端末２が接続可能なプロジェクター（プロジェクター１００を含む）を一覧表示する表示領域４０３を有する。また、操作画面４０１には、指示ボタン４０４が配置される。指示ボタン４０４は、表示システム１を構成する複数のタブレット端末３に一斉に画像を表示させる「一斉操作モード」の実行を指示するボタンである。指示ボタン４０４は、タッチパネル２０１上のＧＵＩ（Ｇｒａｐｈｉｃａｌ  Ｕｓｅｒ  Ｉｎｔｅｒｆａｃｅ）として構成される。
【００９７】
ユーザーがタッチパネル２０１に対するタッチ操作を行い、指示ボタン４０４を操作すると、タブレット端末２は、タッチパネル２０１に表示する画面を、図６に示す操作画面４１１に切り替える。図６の操作画面４１１は、操作画面４０１に、指示ウィンドウ４１３が重ねて配置された画面であり、指示ウィンドウ４１３以外の部分はグレーアウトされる。
【００９８】
指示ウィンドウ４１３は、プロジェクター１００への接続を指示するボタンである指示ボタン４１４と、動作のキャンセルを指示するキャンセルボタン４１５とを有する。キャンセルボタン４１５がタッチ操作された場合、タブレット端末２は指示ウィンドウ４１３の表示を消去して操作画面４０１に遷移する。
指示ボタン４１４に対するユーザーの操作は、ステップＳ１１の操作に対応する。指示ボタン４１４がユーザーによりタッチ操作された場合、タブレット端末２は、この操作に応じてステップＳ１２の動作を実行する。
【００９９】
図４に戻り、タブレット端末２は、ステップＳ１３でプロジェクター１００との間の通信を確立した後、タブレット端末３に対し、コマンド（制御情報）を送信する（ステップＳ１４）。ステップＳ１４で、タブレット端末２は、端末管理データ２２４に含まれる情報に基づいてコマンドの送信先を決定し、コマンドを送信してもよい。この場合、端末管理データ２２４に情報が含まれるタブレット端末３に対し、コマンドが送信される。また、タブレット端末２は、タブレット端末２を含む通信ネットワークに属する全ての機器が受信可能な、いわゆるブロードキャストパケットにより、コマンドを送信してもよい。
【０１００】
タブレット端末３は、タブレット端末２から送信されたコマンドを受信して、スタンバイ状態から起動し、通常動作状態に移行する（ステップＳ１５）。さらに、タブレット端末３は、制御部３１０によってアプリケーションプログラム３２２の実行を開始する（ステップＳ１６）。
【０１０１】
タブレット端末３は、スタンバイ状態でタブレット端末２からコマンドを受信した場合に、通常動作状態に移行し、アプリケーションプログラム３２２の実行を開始するように、予め設定されてもよい。この場合、タブレット端末２がステップＳ１４で送信するコマンドは、タブレット端末３が受信可能なコマンドであればよく、例えば、公知のＷａｋｅ−ｏｎ−ＬＡＮ技術で使用されるマジックパケットであってもよい。また、ステップＳ１４でタブレット端末２が送信するコマンドが、通常動作状態への移行を指示するコマンドと、アプリケーションプログラム３２２の実行とを指示するコマンドとを含んでもよい。
【０１０２】
タブレット端末３は、アプリケーションプログラム３２２の機能により、プロジェクター１００に対する通信を試行し、プロジェクター１００に対して接続を要求する（ステップＳ１７）。アプリケーションプログラム３２２は、例えば、起動後に自動的にプロジェクター１００への通信を試行するプログラムである。また、アプリケーションプログラム３２２が通信を試行する際には、通信設定データ３２３に含まれるプロジェクター１００の情報を利用してもよい。
【０１０３】
ステップＳ１７でタブレット端末３がプロジェクター１００に対する接続要求を行った場合に、この接続要求にプロジェクター１００が応答することにより、タブレット端末３とプロジェクター１００との間の通信が確立される（ステップＳ１８）。
【０１０４】
プロジェクター１００は、通信を確立した相手先のタブレット端末３に関する情報を、通信設定データ６２に含めるように、通信設定データ６２を更新する（ステップＳ１９）。
【０１０５】
表示システム１が複数のタブレット端末３を含む場合、タブレット端末２は、ステップＳ１４で複数のタブレット端末３にコマンドを送信し、複数のタブレット端末３がステップＳ１７でプロジェクター１００に接続要求を行ってもよい。この場合、プロジェクター１００は、接続を要求した複数のタブレット端末３の各々との間で、ステップＳ１８で通信を確立し、各々のタブレット端末３に関する情報を含むように通信設定データ６２を更新する。
【０１０６】
図７は、タブレット端末３が表示する操作画面４２１の表示例を示す。
操作画面４２１は、タブレット端末３がステップＳ１６でアプリケーションプログラム３２２を実行した場合に、タッチパネル３０１により表示される。操作画面４２１は、プロジェクター１００への通信を試行していることを示す接続案内表示４２２と、プロジェクター１００への通信の切断を指示する切断指示ボタン４２３とを含む。また、操作画面４２１に、タブレット端末３が記憶しているコンテンツを選択するコンテンツ指示部４２５を配置してもよい。
【０１０７】
タブレット端末３は、ステップＳ１６でアプリケーションプログラム３２２の実行を開始してから、ステップＳ１８でプロジェクター１００との通信を確立するまで、操作画面４２１を表示する。
【０１０８】
図４に戻り、タブレット端末３は、プロジェクター１００との間の通信を確立した後、操作制限モードをＯＮにする（ステップＳ２０）。操作制限モードは、タブレット端末３が、タッチパネル３０１に対するタッチ操作を無効とするタブレット端末３の動作モードである。入力処理部３１１は、操作制限モードを開始すると、入力部３０６により検出されるタッチパネル３０１へのタッチ操作を無効とする。このため、操作制限モードの実行中は、タッチパネル３０１へのタッチ操作によってタブレット端末３を操作できない状態となる。また、操作制限モードで、制御部３１０は、タッチパネル３０１に表示される操作画面４２１（図７）をグレーアウト表示に切り替えてもよい。
【０１０９】
また、タブレット端末３がハードウェアキー（図示略）を備える場合、入力処理部３１１は、操作制限モードにおいて、ハードウェアキーの操作を入力部３０６が検出した場合に、この操作に応じて操作制限モードを解除可能であってもよい。また、図示はしないが、タブレット端末２がタブレット端末３に操作制限モードの解除を指示するコマンドを送信することで、タブレット端末３が操作制限モードをＯＦＦに切り替えてもよい。この場合、タブレット端末３は、タッチパネル３０１により操作可能な状態となる。
【０１１０】
この後、表示システム１では、タブレット端末２によって、タブレット端末３が表示する内容を制御可能となる。
【０１１１】
第１の例として、タブレット端末２を操作するユーザーが、タブレット端末３が記憶する表示用データ３２４に基づく表示を指示する例を挙げる。この例では、ユーザーが操作を行うと（ステップＳ３１）、タブレット端末２が、操作に基づき、タブレット端末３に表示するデータを指定する表示指示コマンド（表示指示情報）を送信する（ステップＳ３２）。ステップＳ３２で送信される表示指示コマンドは、例えば、タブレット端末３が記憶部３２０に記憶する表示用データ３２４のファイルパスを含む。ファイルパスは、表示用データ３２４を構成するファイルを指定する情報であり、記憶部３２０の記憶領域におけるパスを含む。
【０１１２】
図８は、タブレット端末２が表示する操作画面４３１の表示例を示す。
図８に示す操作画面４３１は、タブレット端末３が記憶部３２０に記憶するファイルやフォルダー（またはディレクトリー）を一覧表示するファイル表示部４３２を含む。ファイル表示部４３２に表示されるファイル、フォルダー或いはディレクトリーの構成は、記憶部３２０における構成を示す。タブレット端末２は、例えば、記憶部３２０の構成に関する情報を端末管理データ２２４に含めて記憶してもよい。また、タブレット端末２の記憶部２２０の一部に、記憶部３２０の表示用データ３２４に係る記憶領域と共通のフォルダー構成（ディレクトリー構成）を配置してもよい。
【０１１３】
タブレット端末２が、操作画面４３１をタッチパネル２０１に表示する状態で、ユーザーは、タッチパネル２０１に対するタッチ操作によって、表示用データ３２４を指定する操作を行える。タブレット端末２は、タッチ操作により指定されたファイルのパスを含む表示指示コマンドを生成して、ステップＳ３２で送信する。
【０１１４】
図４に戻り、ステップＳ３２で、タブレット端末２は、表示指示コマンドを、プロジェクター１００に対して送信する。プロジェクター１００は、タブレット端末２から表示指示コマンドを受信して、受信した表示指示コマンドを通信設定データ６２に基づきタブレット端末３に送信する（ステップＳ３３）。通信設定データ６２は、ステップＳ１８で通信を確立したタブレット端末３に関する情報を含む。従って、タブレット端末２が送信した表示指示コマンドは、プロジェクター１００と通信を確立したタブレット端末３に対して転送される。
【０１１５】
タブレット端末３は、プロジェクター１００から表示指示コマンドを受信し、受信した表示指示コマンドにより指定される表示用データ３２４を、記憶部３２０から読み込む（ステップＳ３４）。タブレット端末３は、読み込んだ表示用データ３２４に基づく画像や文字をタッチパネル３０１により表示する（ステップＳ３５）。
【０１１６】
第２の例として、タブレット端末３が表示用データ３２４に基づく表示を行っている状態で、タブレット端末２を操作するユーザーが、表示するページの遷移を指示する例を挙げる。この例では、ユーザーが操作を行うと（ステップＳ４１）、タブレット端末２が、操作に基づき、表示するページの遷移の指示を含む表示指示コマンドを送信する（ステップＳ４２）。ステップＳ４２で送信される表示指示コマンドは、例えば、タブレット端末３が表示する表示用データ３２４において表示対象のページを指定するデータを含む。
【０１１７】
図９は、タブレット端末２が表示する操作画面４４１の表示例を示す。
図９に示す操作画面４４１は、タブレット端末３が表示する表示用データ３２４に含まれるページのサムネイル画像が一覧表示されるサムネイル表示部４４３を含む。また、操作画面４４１は、タブレット端末３が表示するページのサムネイル画像が表示される対象ページ表示部４４５を含む。また、操作画面４４１は、ページ遷移指示部４４６を含む。ページ遷移指示部４４６には、ページ送りやページ戻し等、表示するページの遷移を指示するためのボタンが配置される。
【０１１８】
タブレット端末２が、操作画面４４１をタッチパネル２０１に表示する状態で、ユーザーは、タッチパネル２０１に対するタッチ操作によって、表示用データ３２４で表示するページを指定する操作を行える。例えば、ユーザーがサムネイル表示部４４３で任意のサムネイル画像をタッチ操作すると、タブレット端末２は、タッチ操作されたサムネイル画像に対応するページの表示を指示する表示指示コマンドを生成する。また、ユーザーがページ遷移指示部４４６で任意のボタンをタッチ操作すると、タブレット端末２は、タッチ操作されたボタンに対応するページ遷移を指示する表示指示コマンドを生成する。
【０１１９】
図４に戻り、ステップＳ４２で、タブレット端末２は、表示指示コマンドを、プロジェクター１００に対して送信する。プロジェクター１００は、タブレット端末２から表示指示コマンドを受信して、受信した表示指示コマンドを通信設定データ６２に基づきタブレット端末３に送信する（ステップＳ４３）。
【０１２０】
タブレット端末３は、プロジェクター１００から表示指示コマンドを受信し、表示中の表示用データ３２４において、受信した表示指示コマンドにより指定されるページに基づき、タッチパネル３０１の表示を更新する（ステップＳ４４）。
【０１２１】
ステップＳ４１〜Ｓ４４の動作は、ページ単位で表示を指示する場合に限定されない。例えば、タブレット端末２が、表示用データ３２４の１つのページまたは複数ページに跨がる領域を指定し、タブレット端末３が、指定された領域に基づく画像や文字をタッチパネル３０１に表示してもよい。また、ページ単位で構成されるデータでない表示用データ３２４を表示する場合に、ステップＳ４１〜Ｓ４４の動作を適用してもよい。
【０１２２】
第３の例として、タブレット端末３により、タブレット端末３が記憶部３２０に記憶していないデータに基づく表示を行わせる動作の例を説明する。
この動作は、タブレット端末２を操作するユーザーが、タブレット端末３が記憶部３２０に記憶していないデータの表示を指示した場合に実行される。タブレット端末２は、ユーザーの操作（ステップＳ５１）に応じて、タブレット端末３に対する表示の指示を含む表示指示コマンドと、表示するデータとを送信する（ステップＳ５２）。ステップＳ５２で、タブレット端末２は、表示指示コマンド及びデータを、プロジェクター１００に対して送信する。
【０１２３】
プロジェクター１００は、タブレット端末２から表示指示コマンド及びデータを受信して、受信した表示指示コマンドを通信設定データ６２に基づきタブレット端末３に送信する（ステップＳ５３）。さらに、プロジェクター１００は、タブレット端末２から受信したデータを、タブレット端末３に送信する（ステップＳ５４）。
【０１２４】
タブレット端末３は、プロジェクター１００から表示指示コマンド及びデータを受信し、受信したデータに基づく画像や文字をタッチパネル３０１により表示する（ステップＳ５５）。
【０１２５】
なお、タブレット端末２が送信する表示指示コマンドに、タブレット端末３で表示するデータを特定する情報（ファイル名、コンテンツのタイトル等）を含めてもよい。この場合、表示指示コマンドに含まれる情報で指定されるデータをタブレット端末３が記憶部３２０に記憶している場合に、プロジェクター１００からタブレット端末３に対するデータの送信を省略してもよい。例えば、タブレット端末３が、プロジェクター１００が送信する表示指示コマンドに含まれる情報で指定されるデータを記憶している場合に、その旨を示す制御データをプロジェクター１００に送信してもよい。この場合、プロジェクター１００は、タブレット端末３が送信した制御データに基づき、該当するデータを記憶しているタブレット端末３を特定する。プロジェクター１００は、該当するデータを記憶していないタブレット端末３に対してステップＳ５４でデータを送信する。また、プロジェクター１００は、該当するデータを記憶部３２０に記憶しているタブレット端末３に対し、表示指示コマンドのみを送信する。この例では、プロジェクター１００とタブレット端末３との間のトラフィックを抑制できる。
【０１２６】
ステップＳ３５、Ｓ４４、Ｓ５５において、タブレット端末３は、タッチパネル３０１に画像や文字を表示し、或いは表示を更新した後に、表示状態を示すデータをプロジェクター１００に送信してもよい。この場合、プロジェクター１００は、タブレット端末３から受信するデータに基づき、画像や文字を投射部２０によりスクリーンＳＣに投射してもよい。例えば、タブレット端末３がタッチパネル３０１に表示する画面のコピーをプロジェクター１００がスクリーンＳＣに投射することが可能である。
【０１２７】
例えば、タブレット端末２が、いずれかのタブレット端末３を対象として、表示状態を示すデータをプロジェクター１００に送信する指示を含めた表示指示コマンドを、プロジェクター１００に送信してもよい。この場合、表示指示コマンドを受信したタブレット端末３のうち対象のタブレット端末３は、プロジェクター１００に対して表示状態を示すデータを送信する。
この場合、タブレット端末２の操作により、いずれかのタブレット端末３が表示する画面を、スクリーンＳＣによって、複数のユーザーが見ることができる。
【０１２８】
以上説明したように、本発明を適用した実施形態に係る表示システム１は、プロジェクター１００と、タブレット端末２と、タブレット端末３とを備える。タブレット端末３は、画像を表示するタッチパネル３０１、及び、アプリケーションプログラム３２２を実行する制御部３１０を備え、プロジェクター１００を含む外部の装置と通信する。タブレット端末２は、タブレット端末３及びプロジェクター１００と通信する。タブレット端末２はタブレット端末３にコマンドを送信し、タブレット端末３は、タブレット端末２からコマンドを受信した場合に、制御部３１０によりアプリケーションプログラム３２２の実行を開始する。タブレット端末３では、制御部３１０がアプリケーションプログラム３２２の機能によりプロジェクター１００に接続し、プロジェクター１００との通信を開始する。また、タブレット端末２は、タブレット端末３による情報の表示を指示する表示指示コマンドをプロジェクター１００に送信する。プロジェクター１００は、タブレット端末２から表示指示コマンドを受信して、プロジェクター１００に接続中のタブレット端末３に表示指示コマンドを送信する。タブレット端末３は、アプリケーションプログラム３２２の実行中にプロジェクター１００から表示指示コマンドを受信した場合に、表示指示コマンドにより指定される情報をタッチパネル３０１に表示する。
【０１２９】
本発明の通信システム、及び、通信システムの制御方法を適用した表示システム１によれば、タブレット端末２によってタブレット端末３にアプリケーションプログラム３２２の実行を開始させることができる。さらに、アプリケーションプログラム３２２の機能によりプロジェクター１００に接続させることができる。このため、タブレット端末２を利用して、容易に、タブレット端末３をプロジェクター１００と通信可能な状態にすることができる。また、タブレット端末２からプロジェクター１００に表示指示コマンドを送信することで、情報をタブレット端末３により表示させることができる。また、タブレット端末３がプロジェクター１００に接続した後は、タブレット端末２がプロジェクター１００に情報を送信することでタブレット端末３を動作させることができ、タブレット端末２が有する処理能力が低くても実現可能である。従って、タブレット端末２をユーザーが操作することにより、タブレット端末３に実装されたアプリケーションプログラム３２２を動作させることが可能なシステムを実現できる。
【０１３０】
また、本発明の端末装置を適用したタブレット端末３は、プロジェクター１００及び外部の端末装置と通信可能な通信Ｉ／Ｆ部３０３、タッチパネル３０１、及び、アプリケーションプログラム３２２を実行する制御部３１０を備える。タブレット端末３は、制御部３１０によりアプリケーションプログラム３２２の実行が可能な通常動作状態と、アプリケーションプログラム３２２の実行及びタッチパネル３０１による表示を停止するスタンバイ状態とを実行可能である。制御部３１０は、スタンバイ状態において、コマンドを通信Ｉ／Ｆ部３０３により受信した場合に、通常動作状態に移行し、制御部３１０によりアプリケーションプログラム３２２の実行を開始する。制御部３１０は、アプリケーションプログラム３２２の機能によりプロジェクター１００に接続して通信を開始する。制御部３１０は、アプリケーションプログラム３２２の実行中に、プロジェクター１００から表示指示コマンドを送信した場合に、表示指示コマンドにより指定される情報をタッチパネル３０１に表示する。
【０１３１】
また、タブレット端末３は、制御部３１０によりアプリケーションプログラム３２２の実行が可能な通常動作状態と、アプリケーションプログラム３２２の実行及びタッチパネル３０１による表示を停止するスタンバイ状態とを実行可能である。タブレット端末３は、スタンバイ状態においてコマンドをタブレット端末２から受信した場合に、通常動作状態に移行してアプリケーションプログラム３２２を実行する。
【０１３２】
これにより、タブレット端末２によって、タブレット端末３のスタンバイ状態から、アプリケーションプログラム３２２の実行を開始させることができる。従って、タブレット端末３をスタンバイ状態から通常動作状態に復帰させる操作を省略できる。また、タブレット端末３を使用する予定がある場合に、事前にスタンバイ状態から復帰させる必要がなく、スタンバイ状態のまま待機させることができるので、省電力化が可能である。
【０１３３】
また、プロジェクター１００は、タブレット端末３がアプリケーションプログラム３２２の機能によりプロジェクター１００に接続した場合に、プロジェクター１００に接続中のタブレット端末３を示す通信設定データ６２を生成または更新する。プロジェクター１００は、タブレット端末２から表示指示コマンドを受信した場合に、通信設定データ６２に基づいてタブレット端末３に表示指示コマンドを送信する。
【０１３４】
これにより、プロジェクター１００が、通信設定データ６２に基づいてタブレット端末３に表示指示コマンドを送信することで、タブレット端末３により情報を表示させることができる。従って、プロジェクター１００によってタブレット端末３との接続状態を効率よく管理できる。
【０１３５】
また、タブレット端末３は操作部としてのタッチパネル３０１を備える。タブレット端末３は、アプリケーションプログラム３２２の実行を開始した後、アプリケーションプログラム３２２の機能により、タッチパネル３０１による操作の受け付けを制限する操作制限モードに移行する。これにより、タブレット端末３が操作されることによりタブレット端末２およびプロジェクター１００による制御の状態が乱されることを防止できる。
【０１３６】
また、タブレット端末２は、タブレット端末３により表示するデータと表示指示コマンドとをプロジェクター１００に送信することができる。この場合、タブレット端末３は、プロジェクター１００から受信する表示指示コマンド及びデータに基づきタッチパネル３０１により表示を行う。これにより、タブレット端末２がプロジェクター１００に送信するデータに基づき、タブレット端末３に表示を実行させることができる。このため、タブレット端末３によって表示させる情報をタブレット端末２から配信する必要がある場合に、タブレット端末２の負荷を軽減できる。
【０１３７】
また、タブレット端末２は、タブレット端末３により表示する情報を指定する表示指示コマンドをプロジェクター１００に送信してもよい。この場合、タブレット端末３は、プロジェクター１００から受信する表示指示コマンドにより指定される情報を、例えば記憶部３２０から取得し、取得した情報に基づきタッチパネル３０１により表示を行う。これにより、タブレット端末３により情報を表示させる場合のタブレット端末２の負荷を、より一層軽減できる。
【０１３８】
ここで、タブレット端末３は、表示指示コマンドにより指定されるデータを、タブレット端末２及びプロジェクター１００以外の装置、例えば外部のサーバー装置からダウンロードしてもよい。この場合、表示指示コマンドは、タブレット端末３がサーバー装置からデータをダウンロードするためのＵＲＬ（Ｕｎｉｆｏｒｍ  Ｒｅｓｏｕｒｃｅ  Ｌｏｃａｔｏｒ）を含んでもよい。
【０１３９】
また、タブレット端末３は、制御部３１０によりアプリケーションプログラム３２２の実行を開始した後、アプリケーションプログラム３２２の機能により、タッチパネル３０１の表示内容を示す情報をプロジェクター１００に送信してもよい。この場合、タブレット端末３が表示する内容をプロジェクター１００で処理することができる。
【０１４０】
なお、上述した実施形態は本発明を適用した具体的態様の例に過ぎず、本発明を限定するものではなく、異なる態様として本発明を適用することも可能である。
例えば、上記実施形態では１台のプロジェクター１００が複数のタブレット端末３と通信を確立する構成を例示したが、複数のプロジェクター１００のそれぞれに複数のタブレット端末３が接続し、通信する構成であってもよい。この場合、タブレット端末２が複数のプロジェクター１００に対し、表示指示コマンドを送信し、複数のプロジェクター１００のいずれかと通信するタブレット端末３に表示指示コマンドが送信されてもよい。
【０１４１】
また、本発明の表示装置は、上述したようにスクリーンＳＣに画像を投射するプロジェクター１００に限定されない。例えば、液晶表示パネルに画像を表示する液晶モニターまたは液晶テレビ、或いは、ＰＤＰ（プラズマディスプレイパネル）に画像を表示するモニター装置またはテレビ受像機にも本発明を適用可能である。また、ＯＬＥＤ（Ｏｒｇａｎｉｃ  ＬＥＤ）、ＯＥＬ（Ｏｒｇａｎｉｃ  Ｅｌｅｃｔｒｏ−Ｌｕｍｉｎｅｓｃｅｎｃｅ）等と呼ばれる有機ＥＬ表示パネルに画像を表示するモニター装置またはテレビ受像機等の自発光型の表示装置にも本発明を適用可能である。その他の各種の表示装置にも本発明を適用可能である。
【０１４２】
また、図２及び図３に示した機能ブロックは、タブレット端末２、３及びプロジェクター１００の機能的構成を示すものであって、具体的な実装形態を制限しない。つまり、図中の機能ブロックに対応するハードウェアが実装される必要はなく、一つのプロセッサーがプログラムを実行することで複数の機能部の機能を実現する構成とすることも勿論可能である。また、上記実施形態においてソフトウェアで実現される機能の一部をハードウェアで実現してもよく、あるいは、ハードウェアで実現される機能の一部をソフトウェアで実現してもよい。
【０１４３】
さらに、本発明の端末装置は、タブレット端末２、３に限定されない。例えば、デスクトップ型のコンピューター、スマートフォンを含む携帯型電話機、映像／音楽プレーヤー等、画像を表示可能な装置であればよい。また、例えば、タブレット端末２、３及びプロジェクター１００と通信回線を介して接続するサーバー装置を設けてもよい。この場合、例えば、タブレット端末３は、サーバー装置から表示用データ３２４等を取得する構成であってもよい。その他、表示システム１を構成する機器の他の各部の具体的な細部構成についても、本発明の趣旨を逸脱しない範囲で任意に変更可能である。
【０１４４】
また、本発明は、上述したタブレット端末２、３の制御方法を実現するためにコンピューターが実行するプログラム、このプログラムをコンピューターで読み取り可能に記録した記録媒体、或いは、このプログラムを伝送する伝送媒体の態様で構成してもよい。また、上記プログラムを搬送波内に具現化したデータ信号等の形態で構成してもよい。
上記記録媒体としては、磁気的、光学的記録媒体又は半導体メモリーデバイスを用いることができる。具体的には、フレキシブルディスク、ＨＤＤ、ＣＤ−ＲＯＭ、ＤＶＤ、Ｂｌｕ−ｒａｙ（登録商標）Ｄｉｓｃ、光磁気ディスク、フラッシュメモリー、カード型記録媒体等の可搬型の、或いは固定式の記録媒体が挙げられる。また、上記記録媒体は、表示システム１が備える各装置や、各装置に接続された外部装置が備える内部記憶装置であるＲＡＭ、ＲＯＭ、ＨＤＤ等の不揮発性記憶装置であってもよい。
【符号の説明】
【０１４５】
１…表示システム（通信システム）、２…タブレット端末（第２端末）、３…タブレット端末（第１端末、端末装置）、４…通信装置、１２…通信Ｉ／Ｆ部、２０…投射部、３０…制御部、６０…記憶部、６１…表示用データ、６２…通信設定データ（接続情報）、１００…プロジェクター（表示装置）、２０１…タッチパネル、２０３…通信Ｉ／Ｆ部、２０６…入力部、２１０…制御部、２１１…入力処理部、２１２…通信制御部、２１４…電源制御部、２２０…記憶部、２２１…ＯＳ、２２２…アプリケーションプログラム、２２３…通信設定データ、２２４…端末管理データ、２２５…コンテンツデータ、３０１…タッチパネル（表示部）、３０３…通信Ｉ／Ｆ部（通信部）、３０４…Ｉ／Ｆ部、３０６…入力部、３０７…バス、３１０…制御部、３１１…入力処理部、３１２…通信制御部、３１４…電源制御部、３２０…記憶部、３２１…ＯＳ、３２２…アプリケーションプログラム（アプリケーション）、３２３…通信設定データ、３２４…端末管理データ、４０１、４１１、４２１、４３１、４４１、４５１…操作画面、ＳＣ…スクリーン。
【図１】
2019040494.tif 000003
【図２】
2019040494.tif 000004
【図３】
2019040494.tif 000005
【図４】
2019040494.tif 000006
【図５】
2019040494.tif 000007
【図６】
2019040494.tif 000008
【図７】
2019040494.tif 000009
【図８】
2019040494.tif 000010
【図９】
2019040494.tif 000011